(57)【特許請求の範囲】
【請求項１】
２つを組み合わせて隣り合う指に装着する構成の義指であって、
其々の義指は
装着部と、
アーム部と、
指先部とから成り、
前記装着部は指に装着するための穴部を有する略リング状であり、
前記アーム部は前記装着部から指を開いた状態における指先方向へ突出し、
前記指先部は前記アーム部の先端に位置し、
該先端には指の動作により物を把持する把持部を備え、
其々の指先部を操作可能とし、
隣り合う前記装着部が接触する位置に規制部を備え、
該規制部は平面同士を摺動させることにより一方の前記把持部の位置と他方の前記把持部の位置とが合致して物を挟みこむことを特徴とするリング型義指。
【請求項２】
前記指先部が指より上方且つ前方に配置されることを特徴とする請求項１に記載のリング型義指。
【請求項３】
親指以外に装着する前記リング型義指において、親指に近い側の義指の前記装着部には前記規制部と反対側に隣接する指によって抑える押さえ部を備えていることを特徴とする請求項１又は請求項２に記載のリング型義指。
【請求項４】
小指以外に装着する前記リング型義指において、親指から遠い側の義指の前記装着部には前記規制部と反対側に隣接する指に系止する系止部を備えていることを特徴とする請求項１から請求項３の何れかに記載のリング型義指。
【請求項５】
前記装着部、前記アーム部、前記指先部の何れか若しくは組み合わせ又は全部が可撓性を有する素材で構成されていることを特徴とする請求項１から請求項４の何れかに記載のリング型義指。
【発明の詳細な説明】
【技術分野】
【０００１】
本発明は、指先が汚れてしまう作業中や、指先を汚したくない場面において、指を汚さず、若しくは汚れていても、食品などを衛生的に掴むことを可能とするリング型義指の技術に関する。
【背景技術】
【０００２】
机上でキーボードやマウスの操作をしているとき、或いは自動車の下で車の整備に従事している際に、食べ物や飲み物を素手で扱うことは衛生上好ましくない。また、薬品や精密機械などでは、指先の脂肪等に触れさせたくない場合がある。通常このような場合では、手袋や指サックを用いたり、ピンセットやプライヤー等の把持具を用いることが一般的といえる。更には、事故等で指先を切断して失ってしまった場合等では、健常者が使用するこれらの一般的な道具では物を把持できない場合もある。
【０００３】
そこで、従来からも種々の技術が提案されている。例えば、文献１には、発明の名称を「使い捨て指カバー」とする技術が開示され、公知技術となっている（特許文献１参照）。具体的には、「指を汚さないで物を掴み、また指を汚さずマニキュアやネイルアートなどをはがさぬ様に防ぎ保護でき、指に付着する細菌から食物を守り、指を汚さず衛生的に食する事ができ着脱が容易である。」という課題が共通しているものである。そして、その解決手段として、「本発明の使い捨て指カバーは、紙の表面に液体等が浸透しないようにコウティング等の加工がほどこされている薄紙で、これらの３本の指サックは、各指の外周に、のりしろを設け、粘着性接着剤を有し、指に挿入できる様に、サック状に形成されて指の表面をカバーする帯部を介して集合面帯部に一連一体に接続してなる。また、各３本の指用サックは、サックの両側面に、Ｖ溝を設け形成される。更に、各３本の指用サックは、Ｖ溝切抜き部の先端部から上方斜めに、切り取り点線ミシン目を設け形成される。」というものである。
【０００４】
また、特許文献２には発明の名称を「使い捨て指サック」とする技術が開示され、公知技術となっている（特許文献２参照）。具体的には、「老若男女で異なる指の大きさ（太さ）であっても着脱が容易であり、手指から抜け落ちることなく食品をしっかりと持つことができる使い捨ての指サックを提供する。」という課題を解決するものであり、該課題において一部が共通するといえる。そして、その解決手段は、帯状ベースとその両端に互いの開口部が対向するよう設けられた親指ポケット部及び人差し指ポケット部とから構成され、該帯状ベースは両端のつまみ部とこれら２つのつまみ部を連接する連接部とを有し、前記帯状ベースは少なくともつまみ部の片面がエンボス加工されてなるポリオレフィンシートからなり、前記親指ポケット部及び前記人差し指ポケット部は片面がエンボス加工されたポリオレフィンシートからなり、前記親指ポケット部又は人差し指ポケット部の内面及びこれに対面するつまみ部の表面は共にエンボス加工面であり、前記親指ポケット部又は人差し指ポケット部と前記帯状ベースのつまみ部とが適所にて点状熱溶着され分離可能に形成された指太さ調節手段がそれぞれ設けられてなる、使い捨指サック。」というものである。
【０００５】
上記いずれの発明も、カバーやサックを介して指先を汚さずに食品等を掴む技術であるが、指に装着しながら別の作業が行えず、指先が汚れてしまう作業中や、指先を汚したくない場面において、指を汚さず、若しくは汚れていても、食品などを衛生的に掴むことを可能とするという課題を解決するに至っていない。
【先行技術文献】
【特許文献】
【０００６】
【特許文献１】特開２００７−０９００１５
【特許文献２】特開２０１３−０４０４３１
【特許文献３】中特抄１０１９９１３２６
【発明の概要】
【発明が解決しようとする課題】
【０００７】
本発明は、指先が汚れてしまう作業中や、指先を汚したくない場面において、指を汚さず、若しくは汚れていても、食品などを衛生的に掴むことを可能とするリング型義指の技術を提供する。
【課題を解決するための手段】
【０００８】
本発明は、装着部とアーム部と指先部とから成る義指であって、前記装着部は指に装着するための穴部を有する略リング状であり、前記アーム部は前記装着部から指を開いた状態における指先方向へ突出し、前記指先部は前記アーム部の先端に位置し、指の動作により前記指先部が操作可能となる手段を採用する。
【０００９】
また、本願発明は前記構成に加え、左右各々の指用の前記リング型義指を組み合わせ、其々の前記アーム部の先端には物を把持する把持部を備えている構成を採用することもできる。
【００１０】
また、本願発明は前記構成に加え、前記装着部の側壁に規制部を備え、該規制部は隣り合う装着部の平面同士を接触させ該平面同士を摺動させることによって前記アーム部の上下の動作を規制し、該規制により一方の把持部の位置と他方の把持部の位置とが合致して物を挟みこむ構成を採用することもできる。
【００１１】
また、本願発明は、前記指先部が指より上方且つ前方に配置される構成を採用することもできる。
【００１２】
また、本願発明は、前記装着部における穴部が指先に装着するための穴形状であり前記指先部が指先の延長上に配置される構成を採用することもできる。
【００１３】
また、本願発明は、前記装着部の親指側に親指によって抑える押さえ部を備える構成を採用することもできる。
【００１４】
また、本願発明は、前記装着部の小指側に隣接する指に系止する系止部を備える構成を採用することもできる。
【００１５】
また、本願発明は、前記装着部、前記アーム部、前記指先部の何れか若しくは組み合わせ又は全部が可撓性を有する素材で構成されている構成を採用することもできる。
【発明の効果】
【００１６】
本発明に係るリング型義指は、指先が汚れてしまう作業中や、指先を汚したくない場面において、指を汚さず、若しくは汚れていても、食品などを衛生的に掴むことが可能となる有利な効果を発揮するものである。
【００１７】
また、本願発明は、簡易な構造で動作に対する人体の負担の少なく低価格で提供できるという大きな効果を発揮するものであり、老若男女問わず小さな子供や老人でも操作でき、仕事のみならず日常の生活においても利便性の高い道具としての価値を発揮するものである。
【図面の簡単な説明】
【００１８】
【図１】本発明に係るリング型義指の使用状態説明図である。
【図２】本発明に係るリング型義指の各構成を説明する三面図である。
【図３】本発明に係る一対のリング型義指の各構成を説明する三面図である。
【図４】本発明に係るリング型義指の動作を説明する動作状況説明図である。
【図５】本発明に係るリング型義指の他の動作を説明する動作状況説明図である。
【図６】本発明に係るリング型義指のスタビライザー機能説明図である。
【図７】本発明に係るリング型義指のアーム部及び指先部の実施例を示す実施例説明図である。
【発明を実施するための形態】
【００１９】
本発明は、装着部１０と、アーム部２０と、指先部３０とから成る義指であって、前記装着部１０は指Ｆに装着するための穴部１１を有する略リング状であり、前記アーム部２０は前記装着部１０から指Ｆを開いた状態における指先方向へ突出し、前記指先部３０は前記アーム部２０の先端に位置し、指Ｆの動作により前記指先部３０が操作可能となることを特徴とするリング型義指１である。以下、本発明の構成を図面を用いて説明する。但し、本発明は脱着容易で且つ手軽に義指を操作でき、一方では自己の指を汚すことなく物を把持することが可能であり、他方では指が汚れていても被把持物を汚さずに把持することを可能とする技術に特徴があり、係る効果を発揮する態様であれば図面に記載された形状や大きさ等に限定されるものではない。
【００２０】
図１は、本発明に係るリング型義指１の使用状態説明図である。図１（ａ）は、本発明の使用状態を示し、２つのリング型義指１を右手の指Ｆに装着しポテトチップスＰを掴みにいく様子を示している。図１（ｂ）は、左手の指Ｆに装着した前記リング型義指１の指先部３０でポテトチップスＰを掴み、且つ手Ｈの自由を確保し別作業ができることを示している。
【００２１】
次に、図１（ａ）及び図１（ｂ）を用いて本発明に係るリング型義指１の使用方法について説明する。まず、指Ｆを装着部１０に挿通し、アーム取付部１５から前方に伸びるアーム２０及びアーム２０の先端に位置する指先部３０を上下に動かし目的物であるポテトチップスＰを挟み込むように保持する。係るリング型義指１を使用した場合、手Ｈや指Ｆに汚れＤが付着していてもポテトチップスＰを衛生的に保つことができ、また作業中の手Ｈや指ＦにポテトチップスＰの汚れＤが付着することを防ぐことが可能となる。
【００２２】
図２は、本発明に係る最も基本的なリング型義指１の形状を示す実施例の三面図である。図２（ａ）は、リング型義指１を平面視した図を示し、図２（ｂ）は該リング型義指１を正面視した図を示し、図２（ｃ）は該リング型義指１の右側面図を示している。リング型義指１は、指Ｆに装着するための穴部１１を有する略リング状の装着部１０と、該装着部１０から指Ｆの上方且つ前方まで突出するアーム部２０とから成る。また、指Ｆを挿通しやすくするために、装着部１０は開口部１２を有することも有効である。なお、図２において示されている指先部３０はアーム部２０の先端であり、特段アーム部２０の端部として特異な形状を有している構成を示すものではないが、例えば爪楊枝やマドラーなどとして利用するような場合の実施例を示している。
【００２３】
図３（ａ）、図（ｂ）及び図（ｃ）は、本発明に係るリング型義指の別の形状を示す実施例の三面図であり、  図３（ａ）は、対となる２つのリング型義指１を平面視した図を示し、アーム取付部１５から突出するアーム２０が先端の指先部３０で同じ位置に合うようにお互いの方向に寄り合うことを示している。図２（ｂ）は前記リング型義指１を正面視した図を示し、片方のリング型義指１が有するアーム部２０及び指先部３０が他方のリング型義指１が有するアーム部２０及び指先部３０と上下に合うことを示している。図３（ｃ）は該リング型義指１の右側面図を示している。係る構成を採用する場合には、其々の前記アーム部２０の先端に位置する指先部３０に物を把持する把持部３１を備えていることが望ましく、対向する把持部３１同士の間で物を狭持しやすくさせることができる。
【００２４】
図３（ｄ）は、装着部１０の親指側に親指によって抑える押さえ部１６を示す斜視図である。係る押さえ部１６を備える構成を採用した場合には人差し指ＩＦに装着された装着部１０の親指側側壁を親指で押し支えることによって把持する機能を安定させることができる。図３（ｅ）に示した斜視図は、隣り合う装着部１０同士が接触した状態で操作が規制される規制部１４を説明するために示したものであり、当該規制部１４をわかりやすくするためハッチングを施している。係る規制部１４が隣り合って側面が面接触した状態で摺動させることにより、一対のアーム部２０の上下方向への動作を規制する構成である。図３（ｆ）は、装着部１０の小指側の指Ｆに系止する系止部１７を示す斜視図であり、係る系止部１７を備える構成を採用した場合には中指ＭＦに装着された装着部１０の中指側側壁が薬指に系止されることによって把持する機能を安定させることができる。
【００２５】
図４は、本発明に係るリング型義指１の上下の動作状況を説明する動作状況説明図であり、図４（ａ）は上下に挟む場合、人差し指ＩＦを持ち上げることにより中指ＭＦとの間で上下に開き、向かい合う把持部３１を離した状態を示し、図４（ｂ）は人差し指ＩＦを下げることにより中指ＭＦとの間を近づく把持部３１が目的物を把持している状態を示している。この時、図３（ｄ）で説明した通り、規制部１４が設けられている場合には係る上下方向の動作が規制され目的物Ｏを正確に狭持することが可能となる。
【００２６】
図５は、本発明に係るリング型義指１の左右の動作状況を説明する動作状況説明図である。図５（ａ）は左右に挟む場合であって、人差し指ＩＦと中指ＭＦとで挟む構成での実施例において該人差し指ＩＦと該中指ＭＦを左右に開き、向かい合う把持部３１を離して開いた状態を示し、図５（ｂ）は人差し指ＩＦと中指ＭＦを挟むように近づけることにより向かい合う把持部３１が目的物Ｏを把持している状態を示している。なお、前記図３及び図４で説明した上下方向の動作とは異なり、左右方向に動作させて把持する構成であるため、隣り合う装着部１０が接触する前に前記把持部３１が接触する配置構成となる前記アーム部２０形状とすることが望ましい（図７（ｄ）及び図７（ｅ）参照）。
【００２７】
図６は、本発明に係るリング型義指１のスタビライザー機能説明図である。本願に係るリング型義指１は、特に衛生面等を考慮しているため、使用しない場合に指先部３０が床面等に接したりすることは好ましくない。そこで、指先部３０を上方に安定して立てられるようスタビライザー機能を備えることが望ましい。そのため、図６に示すようなスタビライザー１３を備える構成を採用し、安定して保管できるようにすることが考え得る。但し、係る形状に限定されるものではなく、衛生面を確保するために指先部３０が床等に接触することを防ぐ形状であって使用時に邪魔にならない形状であればよい。
【００２８】
図７は、本発明に係るリング型義指のアーム形状の実施例を示す実施形態説明図である。図７（ａ）は、リング型義指１を単体で使用する最もシンプルな利用態系を示したものであり、例えば爪楊枝のように果物を刺したり、マドラーのように飲料をかき混ぜたり、若しくは穴部に挿通して持ち上げる等の役割を果たす場合に有効な形状である。但し、係る構成を採用する場合にはあまり指先部３０を鋭利な形状とはせず、安全性等をも考慮した指先部３０の形状とすることが望ましい。
【００２９】
図７（ｂ）及び図７（ｃ）は、何れも隣り合うアーム部２０が上下に動作することから指先部３０の把持部３１が係る上下の動作において当接し、把持部３１同士の間で物を把持する構成を採用した場合のアーム部２０の形状と該アーム部２０の先端に設けられる把持部３１の当接面の形状を示している。
【００３０】
図７（ｄ）から図７（ｆ）は、把持部３１が左右方向から物を把持する構成を採用した場合のアーム部２０の形状を示し、図７（ｄ）は装着部１０同士と把持部３１同士の接触関係が共通する配置構成であり、図７（ｅ）は装着部１０同士の接触前に把持部３１同士が接触する配置構成であり、図７（ｆ）は装着部１０同士の接触状態において把持部３１同士の間に隙間ができる構成を示している。係る構成を採用するのは目的物Ｏの厚さに対応して紙のような薄物からある程度幅の大きな物を目的として把持するために適宜選択して使い分けられることが望ましい。
【００３１】
本発明に係るリング型義指１は、素材において得に限定するものではなく、一部若しくは全体に弾性材等を用いることで、可撓性を有する構成とすることが有効である。また、係る可撓性を有する構成を採用した場合には素材の弾性限度以内の変形から戻ろうとする特性を利用してしっかりと目的物を把持することも可能となる点において有利な効果を発揮することとなる。
【産業上の利用可能性】
【００３２】
本発明に係るリング型義指１は、前記の通り、指を汚さない、若しくは汚れた指で衛生的にものを把持することを可能とするものであり、生活における利便性に富んだ道具として産業上利用可能であることはもとより、精密機械、薬品、危険物、食品等の多種多様な分野においても利用可能性が高く、産業の発達に寄与するものと思慮される。
【符号の説明】
【００３３】
１      リング型義指
１０    装着部
１１    穴部
１２    開口部
１３    スタビライザー
１４    規制部
１５    アーム取付部
１６    押さえ部
１７    系止部
２０    アーム部
３０    指先部
３１    把持部
Ｆ      指
ＩＦ    人差し指
ＭＦ    中指
Ｈ      手
Ｄ      汚れ
Ｏ      目的物
Ｐ      ポテトチップス
Ｔ      テーブル
【要約】
【課題】
本発明は、指先が汚れてしまう作業中や、指先を汚したくない場面において、指を汚さず、若しくは汚れていても、食品などを衛生的に掴むことを可能とするリング型義指の技術を提供する。
【解決手段】
本発明は、装着部とアーム部と指先部とから成る義指であって、前記装着部は指に装着するための穴部を有する略リング状であり、前記アーム部は前記装着部から指を開いた状態における指先方向へ突出し、前記指先部は前記アーム部の先端に位置し、指の動作により前記指先部が操作可能とする基本構成を採用すると共に、これを一組の組み合わせにより把持部で把持する構成を採用することもできる。
【選択図】           図１【図１】
0005985096.tif 000002
【図２】
0005985096.tif 000003
【図３】
0005985096.tif 000004
【図４】
0005985096.tif 000005
【図５】
0005985096.tif 000006
【図６】
0005985096.tif 000007
【図７】
0005985096.tif 000008